(57)【要約】  【課題】本発明は、ユーザが導電性部材に触れても導電性部材が剥がれることなく、装置外部への放射ノイズをシールドすることが可能な画像読取装置を提供することを目的とする。  【解決手段】本発明に係る画像読取装置は、装置本体の上面に露出した導電性の第１フレームに相対する位置に、露出した導電性の第２フレーム１２４を備えた原稿搬送部１２における第２フレーム１２４に凹形状１２４ａが加工され、スポンジ状の導電性部材１２２が、両面テープ１２３により、原稿搬送部１２の閉結状態において、第１フレームと第２フレーム１２４が、電気的に導通するように凹形状１２４ａの窪みに貼り付けられた構成とされている。【選択図】      図４
2006308719.tif 000002
【特許請求の範囲】
【請求項１】
その上面に原稿の画像の読み取りを行う原稿読取部を有する本体と、前記本体に対して該原稿読取部を覆うように開閉可能に設けられた原稿押さえ部と、を有する画像読取装置であって、
前記本体は、その上面に露出し、かつ、接地された導電性の第１フレームを有し、
また、前記原稿押さえ部は、その閉結状態において、前記第１フレームに相対する位置に露出した導電性の第２フレームを有して成り、
前記第１フレームあるいは前記第２フレームのいずれか一方が、凹形状を成しており、かつ、該凹形状部分に導電性部材が、前記原稿押さえ部の閉結状態において、前記第１フレームと前記第２フレーム間の導電性を保つように貼り付けられていることを特徴とする画像読取装置。
【請求項２】
その上面に原稿の画像の読み取りを行う原稿読取部を有する本体と、前記本体に対して該原稿読取部を覆うように開閉可能に設けられた原稿押さえ部と、を有する画像読取装置であって、
前記本体は、その上面に接地された導電性の第１フレームを有し、
また、前記原稿押さえ部は、その閉結状態において、前記第１フレームに相対する位置に導電性の第２フレームを有して成り、
前記第１フレームあるいは前記第２フレームのいずれか一方に、導電性部材が、前記原稿押さえ部の閉結状態において、前記第１フレームと前記第２フレーム間の導電性を保つように貼り付けられ、かつ、少なくとも前記導電性部材の側面外周の一部が非導電性部材で囲まれ、
前記第１フレームあるいは前記第２フレームのもう一方が、露出していることを特徴とする画像読取装置。
【請求項３】
その上面に原稿の画像の読み取りを行う原稿読取部を有する本体と、前記本体に対して該原稿読取部を覆うように開閉可能に設けられた原稿押さえ部と、を有する画像読取装置であって、
前記本体は、その上面に接地された導電性の第１フレームを有し、
また、前記原稿押さえ部は、その閉結状態において、前記第１フレームに相対する位置に導電性の第２フレームを有して成り、
前記第１フレームあるいは前記第２フレームのいずれか一方に、１つの対向した側面の底面側に突起部を有した導電性部材の底面が、前記原稿押さえ部の閉結状態において、前記第１フレームと前記第２フレーム間の導電性を保つように貼り付けられており、かつ、前記突起部が、非導電性部材で挟まれて固定され、
前記第１フレームあるいは前記第２フレームのもう一方のが、露出していることを特徴とする画像読取装置。
【請求項４】
その上面に原稿の画像の読み取りを行う原稿読取部を有する本体と、前記本体に対して該原稿読取部を覆うように開閉可能に設けられた原稿押さえ部と、を有する画像読取装置であって、
前記本体は、その上面に接地された導電性の第１フレームを有し、
また、前記原稿押さえ部は、その閉結状態において、前記第１フレームに相対する位置に導電性の第２フレームを有して成り、
１つの対向した側面の底面側に突起部を有した導電性部材の該突起部の上面が、非導電性部材に貼り付けられており、かつ、前記第１フレームあるいは前記第２フレームのいずれか一方と前記非導電性部材の間に、前記突起部が、前記原稿押さえ部の閉結状態において、前記第１フレームと前記第２フレーム間が電気的に導通するように挟まれて固定され、
前記第１フレームあるいは前記第２フレームのもう一方が、露出していることを特徴とする画像読取装置。
【請求項５】
前記導電性部材は、前記突起部を含む前記底面側の内部に、補強材を備えていることを特徴とする請求項４または請求項５に記載の画像読取装置。
【発明の詳細な説明】
【技術分野】
【０００１】
本発明は、原稿の画像を読み取って画像データを生成する画像読取装置（画像読取機能を備えた複写機を含む）に関するものである。
【背景技術】
【０００２】
従来より、画像読取装置は、装置全体の制御や原稿画像から生成された画像データの処理などを行うために、高クロックで動作するＣＰＵ［Central Processing Unit］が制御基板に搭載されている。その高クロックによって発生する放射ノイズ（電磁波）が装置から外部に漏れて、他の電子機器が誤作動をしないように、装置本体のシールドの強化が図られている。
【０００３】
従来の画像読取装置は、原稿を原稿読取部に自動的に搬送する原稿搬送部と装置本体の間および原稿搬送部からの放射ノイズをシールドするために、原稿搬送部に所定の領域に亘って配置された導電性のフレームが、原稿搬送部の開閉を可能にするためのヒンジ部および装置本体の導電性のフレームを介して接地が行われている。
【０００４】
更に、そのシールドの強化が必要な場合には、原稿搬送部における開閉側の導電性のフレームに取り付けられた導電性部材が、原稿搬送部の閉結状態において、装置本体の上面に露出した導電性のフレームと接触して接地が行われる。この場合、導電性部材に板バネを用いると、ユーザによって原稿搬送部が開閉される際に、板バネにユーザが触れてケガをしてしまう可能性があることから板バネを用いることができなかった。そのため、その代用としてスポンジ状の導電性部材が以下のように取り付けられていた。
【０００５】
図１３は、従来の画像読取装置における原稿搬送部の開閉側の導電性フレームに貼り付けられた導電性部材を示す拡大した縦断面図である。図１３に示すように、原稿搬送部５０は、装置本体側に露出した導電性のフレーム５１と、装置本体側と反対方向のフレーム５１に備えられた非導電性のカバー５４と、を有して成り、矩形体でスポンジ状の導電性部材５２が、両面テープ５３によってフレーム５１に貼り付けられている。原稿搬送部５０が閉結されると、導電性部材５２に相対する位置に露出した装置本体のフレーム（不図示）に接触して、導電性部材５２がフレーム５１に押し付けられることで、原稿搬送部５０のフレーム５１と装置本体のフレーム（不図示）とが電気的に導通して接地が行われていた。なお、実線矢印方向が装置本体の上面側である。
【０００６】
なお、参考として、装置外部への放射ノイズの漏れを防止することを目的とした技術も開示・提案されている（例えば、特許文献１および特許文献２を参照）。
【特許文献１】特開２００３−１１５９６１号公報
【特許文献２】特開平６−１１８５６９号公報
【発明の開示】
【発明が解決しようとする課題】
【０００７】
確かに、上記構成から成る画像読取装置であれば、導電性部材５２がスポンジ状であるため、ユーザによって原稿搬送部５０が開閉された際に、ユーザが導電性部材５２に触れてもケガをする可能性がなくなるとともに、原稿搬送部５０のフレーム５１と装置本体のフレーム間の電気的な導通が取られてシールドの強化が図られることで、原稿搬送部５０と装置本体の間および原稿搬送部５０からの放射ノイズの漏れを防ぐことが可能である。
【０００８】
しかしながら、従来の画像読取装置は、導電性部材５２が両面テープ５３で貼り付けられているために、原稿搬送部５０の開閉時に、ユーザが導電性部材５２に触れて導電性部材５２が剥がれてしまうという問題があった。そのため、原稿搬送部５０の開閉時に、装置外部へ放射ノイズの漏れを防ぐという効果が無くなってしまうという問題があった。
【０００９】
本発明は、上記の問題点に鑑み、ユーザが導電性部材に触れても導電性部材が剥がれることなく、装置外部への放射ノイズをシールドすることが可能な画像読取装置を提供することを目的とする。
【課題を解決するための手段】
【００１０】
上記目的を達成するために、本発明に係る画像読取装置は、その上面に原稿の画像の読み取りを行う原稿読取部を有する本体と、前記本体に対して該原稿読取部を覆うように開閉可能に設けられた原稿押さえ部と、を有して成り、前記本体は、その上面に露出し、かつ、接地された導電性の第１フレームを有し、また、前記原稿押さえ部は、その閉結状態において、前記第１フレームに相対する位置に露出した導電性の第２フレームを有して成り、前記第１フレームあるいは前記第２フレームのいずれか一方が、凹形状を成しており、かつ、該凹形状部分に導電性部材が、前記原稿押さえ部の閉結状態において、前記第１フレームと前記第２フレーム間の導電性を保つように貼り付けられている構成とされている。このような構成とすることにより、原稿押さえ部が開閉される際に、導電性部材がユーザによって接触されても導電性部材の剥がれを防ぐことができるとともに、装置外部への放射ノイズをシールドすることができる。また、第２フレームが凹形状になっていることで、導電性部材の貼り付け位置が明確になり、導電性部材を貼り付け易くなる。
【００１１】
本発明に係る画像読取装置は、その上面に原稿の画像の読み取りを行う原稿読取部を有する本体と、前記本体に対して該原稿読取部を覆うように開閉可能に設けられた原稿押さえ部と、を有して成り、前記本体は、その上面に接地された導電性の第１フレームを有し、また、前記原稿押さえ部は、その閉結状態において、前記第１フレームに相対する位置に導電性の第２フレームを有して成り、前記第１フレームあるいは前記第２フレームのいずれか一方に、導電性部材が、前記原稿押さえ部の閉結状態において、前記第１フレームと前記第２フレーム間の導電性を保つように貼り付けられ、かつ、少なくとも前記導電性部材の側面外周の一部が非導電性部材で囲まれ、前記第１フレームあるいは前記第２フレームのもう一方が、露出している構成とされている。このような構成とすることにより、原稿押さえ部が開閉される際に、非導電性部材で導電性部材が囲まれているため、導電性部材がユーザによって接触されても導電性部材の剥がれを防ぐことができるとともに、装置外部への放射ノイズをシールドすることができる。
【００１２】
本発明に係る画像読取装置は、その上面に原稿の画像の読み取りを行う原稿読取部を有する本体と、前記本体に対して該原稿読取部を覆うように開閉可能に設けられた原稿押さえ部と、を有して成り、前記本体は、その上面に接地された導電性の第１フレームを有し、また、前記原稿押さえ部は、その閉結状態において、前記第１フレームに相対する位置に導電性の第２フレームを有して成り、前記第１フレームあるいは前記第２フレームのいずれか一方に、１つの対向した側面の底面側に突起部を有した導電性部材の底面が、前記原稿押さえ部の閉結状態において、前記第１フレームと前記第２フレーム間の導電性を保つように貼り付けられており、かつ、前記突起部が、非導電性部材で挟まれて固定され、前記第１フレームあるいは前記第２フレームのもう一方のが、露出している構成とされている。このような構成とすることにより、原稿押さえ部が開閉される際に、導電性部材が非導電性部材で挟まれて固定されているため、導電性部材がユーザによって接触されても導電性部材の剥がれを防ぐことができる。これにより、装置外部への放射ノイズを確実にシールドすることができる。
【００１３】
本発明に係る画像読取装置は、その上面に原稿の画像の読み取りを行う原稿読取部を有する本体と、前記本体に対して該原稿読取部を覆うように開閉可能に設けられた原稿押さえ部と、を有して成り、前記本体は、その上面に接地された導電性の第１フレームを有し、また、前記原稿押さえ部は、その閉結状態において、前記第１フレームに相対する位置に導電性の第２フレームを有して成り、１つの対向した側面の底面側に突起部を有した導電性部材の該突起部の上面が、非導電性部材に貼り付けられており、かつ、前記第１フレームあるいは前記第２フレームのいずれか一方と前記非導電性部材の間に、前記突起部が、前記原稿押さえ部の閉結状態において、前記第１フレームと前記第２フレーム間が電気的に導通するように挟まれて固定され、前記第１フレームあるいは前記第２フレームのもう一方が、露出している構成とされている。このような構成とすることにより、原稿押さえ部が開閉される際に、導電性部材が非導電性部材で挟まれて固定されているため、導電性部材がユーザによって接触されても導電性部材の剥がれを防ぐことができる。これにより、装置外部への放射ノイズを確実にシールドすることができる。
【００１４】
上記構成から成る画像読取装置における前記導電性部材は、前記突起部を含む前記底面側の内部に、補強材を備えている構成とされている。このような構成とすることにより、原稿押さえ部が開閉される際に、補強材が導電性部材に備えられているため、導電性部材がユーザによって接触されても導電性部材の剥がれをより一層防ぐことができる。
【発明の効果】
【００１５】
上記したように、本発明に係る画像読取装置であれば、原稿押さえ部が開閉される際に、導電性部材がユーザによって接触されても導電性部材の剥がれを防ぐことが可能になるとともに、原稿押さえ部の閉結状態において、装置外部への放射ノイズをシールドすることが可能となる。
【発明を実施するための最良の形態】
【００１６】
以下では、画像読取機能を備えている複写機に本発明を適用した場合を例に挙げて、図を参照して説明を行う。
【００１７】
図１は、本発明に係る複写機の原稿搬送部が開放状態の場合を模式的に示す側面側から見た縦断面図である。図２は、本発明に係る複写機の原稿搬送部が閉結状態の場合を模式的に示す側面側から見た縦断面図である。図３は、本発明に係る複写機の原稿搬送部が閉結状態の場合を模式的に示す正面から見た縦断面図である。なお、側面側とは、ユーザが装置を後述の操作表示部を操作する際の操作位置を正面側とした場合に対してその垂直方向側である。
【００１８】
本発明に係る複写機１は、図１〜図３に示すように、装置本体１０の上面に原稿の画像の読み取りを行う原稿読取部１１と、装置本体１０に対して原稿読取部１１を覆うように開閉可能に設けられ、原稿を原稿読取部１１に自動搬送するあるいは原稿読取部１１に配置された原稿を押さえるために用いられる原稿搬送部１２と、原稿搬送部１２と装置本体１０を結合し、原稿搬送部１２の開閉を可能にするヒンジ部１３と、操作手段（テンキーやタッチパネルなど）と表示手段（液晶ディスプレイなど）から成る操作表示部１４と、を有して成る。なお、本図には示していないが、本実施形態の複写機１は、上記構成要素のほか、装置全体の制御を行うＣＰＵ、各種制御プログラム等の格納やワーク領域として用いられるメモリ部、および画像形成処理に必要な画像形成部、定着部、用紙収納部、および用紙搬送部などを当然に有して成る。
【００１９】
装置本体１０は、装置本体１０を覆う非導電性の樹脂からなる外装カバー１０１と、装置本体１０の上面に露出し、外装カバー１０１に覆われた導電性のフレーム（不図示）あるいは配線（不図示）等を介して接地された第１フレーム１０２と、を有して成る。
【００２０】
原稿搬送部１２は、図１〜図３に示すように、原稿読取部１１による原稿画像の読み取りのために、原稿読取部１１上の原稿に向けて原稿読取部１１から放射された光を反射する反射板１２１と、原稿読取部１１に搬送される原稿の出入り口を備えた給紙ガイド１２６と、を有して成る。また、原稿搬送部１２は、図２および図３に示すように、原稿搬送部１２の閉結状態において、第１フレーム１０２の相対する位置に、後述するように導電性の第２フレームを有して成り、第１フレーム１０２と第２フレームが導通するようにスポンジ状で導電性の導電性部材１２２が貼り付けられている。なお、導電性部材１２２は、弾性体で柔軟性のある導電性の部材であればよい。また、導電性部材１２２は、その外周が導電性で薄い弾性体からなり、その内部が非導電性の弾性体でもよい。
【００２１】
また、複写機１は、ヒンジ部１３側付近の原稿搬送部１２と装置本体１０の間および原稿搬送部１２からの放射ノイズの漏れをシールドするために、原稿搬送部１２の内部に備えられた導電性のフレーム（不図示）が、ヒンジ部１３近傍の配線（不図示）等で電気的に接続されて装置本体１０の外装カバー１０１に覆われた導電性のフレーム（不図示）を介して接地されている。
【００２２】
また、複写機１は、装置本体１０の側面や底面からの放射ノイズの漏れをシールドするために、外装カバー１０１に覆われ、装置本体１０の側面や底面に備えられた導電性のフレーム（不図示）が接地されている。
【００２３】
なお、本発明に係る複写機１は、後述するように原稿搬送部１２の閉結時において、原稿搬送部１２の第２フレームと本体装置１０の第１フレーム間を電気的に導通させるために貼り付けられている導電性部材１２２がユーザの接触により剥がれることを防止する構成に特徴を有している。
【００２４】
そこで、以下では、本発明に係る複写機１における原稿搬送部１２の第２フレームと本体装置１０の第１フレーム間を、原稿搬送部１２の閉結時において電気的に導通させるために貼り付けられる導電性部材１２２がユーザの接触により剥がれることを防止する構成の第１実施形態につき、図を参照しながら説明を行う。図４は、第１実施形態に係る原稿搬送部１２の詳細を説明するための図１に示す領域Ａの拡大図である。
【００２５】
図１〜図４に示すように、原稿搬送部１２は、原稿搬送部１２の閉結状態において、第１フレーム１０２に相対する位置に、露出し、金属からなる導電性の第２フレーム１２４を有して成り、第２フレーム１２４に凹形状部１２４ａが加工されている。第２フレーム１２４の側面および第２フレーム１２４の第１フレーム１０２側と反対の面には、非導電性の外装カバー１２５が取り付けられている。導電性部材１２２には、その１面の外周より内側に非導電性の両面テープ１２３が貼り付けられている。導電性部材１２２が、原稿搬送部１２の閉結状態おいて、第１フレーム１０２と第２フレーム１２４間の導電性を保つように、凹形状部１２４ａの窪みに両面テープ１２３によって、貼り付けられている。原稿搬送部１２の閉結状態では、導電性部材１２２がスポンジ状（すなわち、弾性体）であるため、図５に示すように、導電性部材１２２が、弾性変形して第２フレーム１２４および第１フレーム１０２と接触することで第１フレーム１０２と第２フレーム１２４間が電気的に導通する。更に、原稿搬送部１２の閉結状態では、電気的に導通した第１フレーム１０２、第２フレーム１２４および導電性部材１２２が、外装カバー１０１に覆われた導電性のフレーム（不図示）あるいは配線（不図示）等を介して接地される。
【００２６】
また、両面テープ１２３の代わりに、原稿搬送部１２の閉結状態おいて、導電性部材１２２を介して第１フレーム１０２と第２フレーム１２４とを電気的に導通させることが可能な接着部材が用いられてもよい。その接着部材（例えば、両面テープ１２３）は、導電性でもよい。その接着部材が導電性である場合には、導電性部材１２２の第２フレーム１２４側となる１面全領域にその接着部材が貼り付けられてもよい。また、第２フレーム１２４は、金属から形成されていなくてもよく、導電性であればよい。
【００２７】
よって、上記で説明したように、本実施形態の複写機１であれば、ユーザにより原稿搬送部１２が開閉される際に、導電性部材１２２がユーザに触れられても、導電性部材１２２が第２フレーム１２４に形成された凹形状部１２４ａに貼り付けられ、導電性部材１２２の露出部分が少ないため、導電性部材１２２の剥がれを防ぐことができる。これにより、装置外部への放射ノイズを確実にシールドすることができる。また、第２フレーム１２４が凹形状になっていることで、導電性部材１２２の貼り付け位置が明確になり、導電性部材１２２を貼り付け易くなる。
【００２８】
次に、本発明に係る複写機１における原稿搬送部１２の第２フレームと本体装置１０の第１フレーム間を、原稿搬送部１２の閉結時において電気的に導通させるために貼り付けられる導電性部材１２２がユーザの接触により剥がれることを防止する構成の第２実施形態につき、図を参照しながら説明を行う。図６は、第２実施形態に係る原稿搬送部１２の詳細を説明するための図１に示す領域Ａの拡大図である。なお、複写機１の領域Ａ以外の構成は、前述した構成と同じであるため、その説明を省略する。また、特に必要がない限り、前述と同一符号を用いる。
【００２９】
図１〜図３および図６に示すように、原稿搬送部１２には、原稿搬送部１２の閉結状態において、第１フレーム１０２に相対する位置に、金属からなる導電性の第２フレーム１２４と、第２フレーム１２４の側面および第２フレーム１２４の第１フレーム１０２側と反対の面に非導電性の外装カバー１２５ａと、が備えられている。導電性部材１２２には、第２フレーム１２４側のその１面の外周より内側に非導電性の両面テープ１２３が貼り付けられている。また、導電性部材１２２が、原稿搬送部１２の閉結状態おいて、第１フレーム１０２と第２フレーム１２４間の導電性を保つように両面テープ１２３によって貼り付けられている。更に、導電性部材１２２の側面外周部に非導電性の外装カバー１２５ｂが取り付けられている。
【００３０】
原稿搬送部１２の閉結状態では、導電性部材１２２がスポンジ状（すなわち、弾性体）であるため、導電性部材１２２が、弾性変形して第２フレーム１２４と第１フレーム１０２に接触することで、第１フレーム１０２と第２フレーム１２４間が電気的に導通する。更に、原稿搬送部１２の閉結状態では、電気的に導通した第１フレーム１０２、第２フレーム１２４および導電性部材１２２が、外装カバー１０１に覆われた導電性のフレーム（不図示）あるいは配線（不図示）等を介して接地される。なお、第２フレーム１２４に貼り付けられた導電性部材１２２は、ユーザによる接触によって導電性部材が剥がれない程度に、少なくとも導電性部材１２２の側面外周の一部が、外装カバー１２５ｂに囲まれていればよい。
【００３１】
また、両面テープ１２３の代わりに、原稿搬送部１２の閉結状態おいて、導電性部材１２２を介して、第１フレーム１０２と第２フレーム１２４とを電気的に導通させることが可能な接着部材が用いられてもよい。その接着部材（例えば、両面テープ１２３）は、導電性でもよく、その接着部材が導電性である場合には、導電性部材１２２の第２フレーム１２４側となる１面全領域にその接着部材が貼り付けられてもよい。また、第２フレーム１２４は、金属から形成されていなくてもよく、導電性であればよい。
【００３２】
よって、上記で説明したように、本実施形態の複写機１であれば、ユーザにより原稿搬送部１２が開閉される際に、導電性部材１２２がユーザにより接触されても、少なくとも導電性部材１２２の側面外周の一部が外装カバー１２５ｂで囲まれていることで導電性部材１２２の露出部分が少ないため、導電性部材１２２の剥がれを防ぐことができる。これにより、装置外部への放射ノイズを確実にシールドすることができる。
【００３３】
次に、本発明に係る複写機１における原稿搬送部１２の第２フレームと本体装置１０の第１フレーム間を、原稿搬送部１２の閉結時において電気的に導通させるために貼り付けられる導電性部材１２２がユーザの接触により剥がれることを防止する構成の第３実施形態につき、図を参照しながら説明を行う。図７は、第３実施形態に係る原稿搬送部１２の詳細を説明するための図１に示す領域Ａの拡大図である。なお、複写機１の領域Ａ以外の構成は、前述した構成と同じであるため、その説明を省略する。また、特に必要がない限り、前述と同一符号を用いる。
【００３４】
図１〜図３および図７に示すように、原稿搬送部１２には、原稿搬送部１２の閉結状態において、第１フレーム１０２に相対する位置に、金属からなる導電性の第２フレーム１２４と、第２フレーム１２４の側面および第２フレーム１２４の第１フレーム１０２側と反対側の面に非導電性の外装カバー１２５ａと、が備えられている。導電性部材１２２は、１つの対向した側面の第２フレーム１２４側（すなわち、底面側）に突起部１２２ａ、１２２ｂを有した凸形状からなる。導電性部材１２２の第２フレーム１２４側となる１面の外周より内側に非導電性の両面テープ１２３が貼り付けられている。導電性部材１２２が、原稿搬送部１２の閉結状態おいて、弾性変形して第２フレーム１２４と第１フレーム１０２に接触して、第１フレーム１０２と第２フレーム１２４が電気的に導通するように両面テープ１２３によって貼り付けられている。また、導電性部材１２２の突起部１２２ａ、１２２ｂが、非導電性の外装カバー１２５ｂ、１２５ｃのＬ字形部分で挟まれつつ固定されている。
【００３５】
また、原稿搬送部１２の閉結状態では、導電性部材１２２がスポンジ状（すなわち、弾性体）であるため、導電性部材１２２が、弾性変形して第１フレーム１０２と第２フレーム１２４に接触することで、第１フレーム１０２と第２フレーム１２４間が電気的に導通する。更に、原稿搬送部１２の閉結状態では、電気的に導通した第１フレーム１０２、第２フレーム１２４および導電性部材１２２が、外装カバー１０１に覆われた導電性のフレーム（不図示）あるいは配線（不図示）等を介して接地される。
【００３６】
また、両面テープ１２３の代わりに、原稿搬送部１２の閉結状態おいて、導電性部材１２２を介して第１フレーム１０２と第２フレーム１２４間が電気的に導通することが可能な接着部材が用いられてもよい。その接着部材（例えば、両面テープ１２３）は、導電性でもよく、その接着部材が導電性である場合には、導電性部材１２２の第２フレーム１２４側となる１面全領域にその接着部材が貼り付けてられてもよい。また、第２フレーム１２４は、金属から形成されていなくてもよく、導電性であればよい。
【００３７】
よって、上記で説明したように、本実施形態の複写機１であれば、ユーザにより原稿搬送部１２が開閉される際に、ユーザに導電性部材１２２が触れられても、導電性部材１２２が、１つの対向した側面の第２フレーム１２４側（すなわち、底面側）に突起部１２２ａ、１２２ｂを有した凸形状からなり、かつ、突起部１２２ａ、１２２ｂが、外装カバー１２５ｂ、１２５ｃで挟まれつつ固定されているため、導電性部材１２２の剥がれを防ぐことができる。これにより、装置外部への放射ノイズを確実にシールドすることができる。
【００３８】
また、図８に示すように、ＰＥＴフィルム[Polyethylene Terephthalate Film]等の補強材１２２ｃが突起部１２２ａ、１２２ｂを含む第２フレーム１２４側（すなわち、底面側）の内部に備えられた導電性部材１２２が用いられてもよい。これにより、更に、導電性部材１２２の固定が強化されるため、ユーザにより原稿搬送部１２が開閉される際に、導電性部材１２２がユーザに触れられても、導電性部材１２２の剥がれを防ぐことができる。
【００３９】
次に、本発明に係る複写機１における原稿搬送部１２の第２フレームと本体装置１０の第１フレーム間を、原稿搬送部１２の閉結時において電気的に導通させるために貼り付けられる導電性部材１２２がユーザの接触により剥がれることを防止する構成の第４実施形態につき、図を参照しながら説明を行う。図９は、第４実施形態に係る原稿搬送部１２の詳細を説明するための図１に示す領域Ａの拡大図である。
【００４０】
図１〜図３および図９に示すように、原稿搬送部１２には、原稿搬送部１２の閉結状態において、第１フレーム１０２に相対する位置に、金属からなる導電性の第２フレーム１２４と、第２フレーム１２４の側面および第２フレーム１２４の第１フレーム１０２側と反対側の面に非導電性の外装カバー１２５ａと、が備えられている。導電性部材１２２は、１つの対向した側面の第２フレーム１２４側（すなわち、底面側）に突起部１２２ａ、１２２ｂを有した凸形状からなる。導電性部材１２２の突起部１２２ａ、１２２ｂの第１フレーム側（すなわち、上面側）には、非導電性の両面テープ１２３が貼り付けられている。導電性部材１２２の突起部１２２ａ、１２２ｂが、両面テープ１２３により非導電体の外装カバー１２５ｂ、１２５ｃのＬ字形部分に貼り付けられ、更に、導電性部材１２２の突起部１２２ａ、１２２ｂが、非導電体の外装カバー１２５ｂ、１２５ｃと第２フレーム１２４との間に挟まれて固定されている。
【００４１】
また、原稿搬送部１２の閉結状態では、導電性部材１２２が弾性変形しながら第１フレーム１０２と第２フレーム１２４に接触することで、第１フレーム１０２と第２フレーム１２４間が電気的に導通する。更に、原稿搬送部１２の閉結状態では、電気的に導通した第１フレーム１０２、第２フレーム１２４および導電性部材１２２が、外装カバー１０１に覆われた導電性のフレーム（不図示）あるいは配線（不図示）等を介して接地される。
【００４２】
また、両面テープ１２３の代わりに、導電性部材１２２を上記のように、外装カバー１２５ｂ、１２５ｃに貼り付けることが可能な接着部材が用いられてもよい。その接着部材（例えば、両面テープ１２３）は、導電性でもよい。また、第２フレーム１２４は、金属から形成されていなくてもよく、導電性であればよい。
【００４３】
よって、上記で説明したように、本実施形態の複写機１であれば、導電性部材１２２が、１つの対向した側面の第２フレーム１２４側（すなわち、底面側）に突起部１２２ａ、１２２ｂを有した凸形状なり、突起部１２２ａ、１２２ｂが、第２フレーム１２４と外装カバー１２５ｂ、１２５ｃとの間に挟まれて固定されているため、ユーザにより原稿搬送部１２が開閉される際に、導電性部材１２２がユーザに触れられても、導電性部材１２２の剥がれを防ぐことができる。これにより、装置外部への放射ノイズを確実にシールドすることができる。
【００４４】
また、図１０に示すように、ＰＥＴフィルム等の補強材１２２ｃが突起部１２２ａ、１２２ｂを含む第２フレーム１２４側（すなわち、底面側）の内部に備えられた導電性部材１２２が用いられてもよい。これにより、更に、導電性部材１２２の固定が強化されるため、ユーザにより原稿搬送部１２が開閉される際に、導電性部材１２２がユーザに触れられても、導電性部材１２２の剥がれを防ぐことができる。
【００４５】
上記の第１〜第４実施形態で説明した原稿搬送部１２と本体装置１０間を、原稿搬送部１２の閉結時において電気的に導通させるために貼り付けられる導電性部材１２２がユーザの接触により剥がれることを防止する構成は、図３に示すように、１箇所であったが、以下に図を参照して説明するように複数箇所に備えられてもよい。図１１は、本発明に係る複写機１の原稿搬送部１２を原稿読取部１１側から見た場合を模式的に示す図である。図１２は、本発明に係る複写機１の装置本体１０を上面から見た場合を模式的に示す図である。
【００４６】
原稿搬送部１２には、図１１に示すように、上記の第１〜第４実施形態で説明した原稿搬送部１２の第２フレーム１２４と本体装置１０の第１フレーム１０２間を閉結状態において電気的に導通させるために貼られる導電性部材１２２がユーザの接触により剥がれることを防止する構成のうち、少なくとも１つの構成が用いられて、第２フレーム１２４に複数の導電性部材１２２が備えられている。なお、図１１では、第２フレーム１２４を点線で示しているが、第１実施形態で説明した第２フレーム１２４は、少なくとも凹形状部分は露出している。
【００４７】
装置本体１０の上面には、図１２に示すように、画像読取部１１における原稿の画像の読み取り窓となるコンタクトガラス１１１の領域外に、導電性部材１２２が備えられた第２フレームと相対する位置に、露出し、接地された複数の第１フレーム１０２が備えられている。
【００４８】
また、原稿搬送部１２の閉結状態では、複数の導電性部材１２２が弾性変形して第１フレーム１０２と第２フレーム１２４に接触することで、第１フレーム１０２と第２フレーム１２４間が電気的に導通する。更に、原稿搬送部１２の閉結状態では、複数箇所で電気的に導通した第１フレーム１０２、第２フレーム１２４および導電性部材１２２が、外装カバー１０１に覆われた導電性のフレーム（不図示）あるいは配線（不図示）等を介して接地されるため、原稿搬送部１２と装置本体１０間および原稿搬送部１２からの放射ノイズのシールドを強化することができる。
【００４９】
なお、上記説明（第１〜第４実施形態を含む）では、ユーザによる原稿搬送部１２の開閉時に、原稿搬送部１２側の第２フレーム１２４に備えられた導電性部材１２２が、ユーザの接触により剥がれることを防止する構成を説明したが、逆に装置本体１０の上面の第１フレーム１０２に、第１〜第４実施形態で説明した構成のうち少なくともいずれかが用いられて、導電性部材が取り付けられてもよい。この場合、原稿搬送部１２の閉結状態において、導電性部材が取り付けられた第１フレーム１０２と相対する位置に、露出した第２フレーム１２４が備えられる。原稿搬送部１２の閉結状態では、導電性部材が弾性変形して第１フレーム１０２と第２フレーム１２４に接触することで、第１フレーム１０２と第２フレーム１２４間が電気的に導通する。更に、原稿搬送部１２の閉結状態では、導通した第１フレーム１０２、第２フレーム１２４および導電性部材が、外装カバー１０１に覆われた導電性のフレーム（不図示）あるいは配線（不図示）等を介して接地される。
【００５０】
よって、第１フレーム１０２に導電性部材が取り付けられる構成においても、原稿搬送部１２の開閉時に、ユーザの接触による導電性部材の剥がれを防止することができる。そのため、複写機１の放射ノイズを安定してシールドすることが可能になる。
【００５１】
なお、原稿搬送部１２の第２フレーム１２４および本体装置１０の第１フレーム１０２は、複写機１からの放射ノイズを安定してシールドすることができるように、所定の領域に亘って備えられていてもよい。
【００５２】
また、原稿読取部１１の原稿画像の読み取り窓となるコンタクトガラス１１１に導電性の樹脂が形成されて、第１フレーム１０２の役割を担ってもよい。
【００５３】
また、上記説明では、複写機１における原稿搬送部１２の第２フレーム１２４と本体装置１０の第１フレーム１０２間を導通させるために取り付けられた導電性部材１２２が、原稿搬送部１２の開閉時に、ユーザの接触により剥がれることを防止する構成について説明したが、原稿搬送部１２の代わりに、原稿読取部１１に原稿が配置された際に、その原稿を押さえるための原稿押さえ部が用いられた場合にも本発明が適用されてもよい。
【００５４】
また、本発明の構成は、上記実施形態のほか、発明の主旨を逸脱しない範囲で種々変更を加えることが可能である。
【産業上の利用可能性】
【００５５】
本発明は、画像読取機能を備えている複写機１の他にも、スキャナや画像読取機能を備えたファクシミリなどの画像読取装置全般に広く適用が可能であり、装置外部への放射ノイズの漏れの削減に有用な技術である。
【図面の簡単な説明】
【００５６】
【図１】は、本発明に係る複写機の原稿搬送部が開放状態の場合を模式的に示す側面側から見た縦断面図である。
【図２】は、本発明に係る複写機の原稿搬送部が閉結状態の場合を模式的に示す側面側から見た縦断面図である。
【図３】は、本発明に係る複写機の原稿搬送部が閉結状態の場合を模式的に示す正面から見た縦断面図である。
【図４】は、第１実施形態に係る原稿搬送部１２の詳細を説明するための図１に示す領域Ａの拡大図である。
【図５】は、導電性部材１２２が第１フレーム１０２および第２フレーム１２４と接触することを説明するための図である。
【図６】は、第２実施形態に係る原稿搬送部１２の詳細を説明するための図１に示す領域Ａの拡大図である。
【図７】は、第３実施形態に係る原稿搬送部１２の詳細を説明するための図１に示す領域Ａの拡大図である。
【図８】は、図７の導電性部材１２２内部に補強材１２２ｃが備えられた場合の導電性部材１２２の剥がれ防止について説明するための図である。
【図９】は、第４実施形態に係る原稿搬送部１２の詳細を説明するための図１に示す領域Ａの拡大図である。
【図１０】は、図９の導電性部材１２２内部に補強材１２２ｃが備えられた場合の導電性部材１２２の剥がれ防止について説明するための図である。
【図１１】は、本発明に係る複写機１の原稿搬送部１２を原稿読取部１１側から見た場合を模式的に示す図である。
【図１２】は、本発明に係る複写機１の装置本体１０を上面から見た場合を模式的に示す図である。
【図１３】は、従来の画像読取装置における原稿搬送部の開閉側の導電性フレームへの導電性部材の貼り付け部分を拡大した縦断面図である。
【符号の説明】
【００５７】
１    複写機
１０    装置本体
１０１    外装カバー
１０２    第１フレーム
１１    原稿読取部
１２、５０    原稿搬送部
１２１    反射板
１２２、５２    導電性部材
１２２ａ、１２２ｂ    突起部
１２２ｃ    補強材
１２３、５３    両面テープ
１２４    第２フレーム
１２５、１２５ａ、１２５ｂ    外装カバー
１２４ａ    凹形状部
１２６    給紙ガイド
１３    ヒンジ部
１４    操作表示部
５１    フレーム
５４    カバー
【図１】
2006308719.tif 000003
【図２】
2006308719.tif 000004
【図３】
2006308719.tif 000005
【図４】
2006308719.tif 000006
【図５】
2006308719.tif 000007
【図６】
2006308719.tif 000008
【図７】
2006308719.tif 000009
【図８】
2006308719.tif 000010
【図９】
2006308719.tif 000011
【図１０】
2006308719.tif 000012
【図１１】
2006308719.tif 000013
【図１２】
2006308719.tif 000014
【図１３】
2006308719.tif 000015